(57)【要約】【課題】加湿開始時の立ち上がり時間を短縮し、加湿量を高精度に制御し、給水量を低減することができる加湿装置を提供すること。【解決手段】加湿領域２１〜２３と、加湿領域２１〜２３にそれぞれ給水を行う給水槽３１〜３３と、給水槽３１〜３３に収容された水が一定水位以上の場合に水を通流させる第２，３通流部４２，４３と、給水槽３１に給水を行うとともに、第２，３通流部４２，４３を介して給水槽３２，３３に給水を行うフロー給水部５０とを備えている。【選択図】図１
2010255924.tif 000002
【特許請求の範囲】
【請求項１】
複数の加湿領域を有する気化式加湿器と、
上記加湿領域にそれぞれ給水を行う給水槽と、
これら給水槽に収容された水が一定水位以上の場合に水を通流させる通流部と、
上記給水槽のうち少なくとも１つの給水槽に給水を行うとともに、上記通流部を介して全ての給水槽に給水を行うフロー給水部とを備えていることを特徴とする加湿装置。
【請求項２】
上記通流部毎に定められた水位は、異なる水位であることを特徴とする請求項１に記載の加湿装置。
【請求項３】
上記フロー給水部は、空調用空気の湿度を検出する湿度センサと、
上記湿度センサの検出結果に基づいて前記給水槽への給水量を制御する給水量制御部を備えていることを特徴とする請求項１に記載の加湿装置。
【請求項４】
複数の加湿領域を有する気化式加湿器と、
これら気化式加湿器に散水する散布部と、
これら散布部にそれぞれ異なる差圧で作動する定流量弁を介して給水する差圧給水部とを備えていることを特徴とする加湿装置。
【請求項５】
上記差圧給水部は、空調用空気の湿度を検出する湿度センサと、
上記湿度センサの検出結果に基づいて前記給水槽への給水量を制御する給水量制御部を備えていることを特徴とする請求項４に記載の加湿装置。
【発明の詳細な説明】
【技術分野】
【０００１】
本発明は、空調機に用いられる加湿装置に関し、加湿開始時の応答時間を短縮し、加湿量を高精度に制御し、散水を均一化し、給水量を低減することができるものに関する。
【背景技術】
【０００２】
空調機に用いられる滴下式加湿装置の加湿量制御方式には、主に給水定流量方式加湿装置と、給水比例制御方式加湿装置とが知られている。給水定流量方式加湿装置は、給水弁から、加湿エレメント（気化式加湿器）に一定量の水を滴下することで、加湿エレメントに水分を浸透させる。水を浸透させた加湿エレメントに、乾燥空気を通風させる。この通風により、加湿エレメントに浸透していた水分を気化させ、乾燥空気を加湿するものである。
【０００３】
このような給水定流量方式加湿装置には、次のような特徴がある。すなわち、加湿エレメントの通風速度が規定風速以下であれば、加湿空気に水滴が含まれることはない。また、通風速度が一定であれば乾燥空気の状態によらず、常に飽和効率が一定となる能力を発揮する。なお、飽和効率は、通風速度が一定であれば、加湿エレメントの厚み、密度、形状等の条件で決まる。
【０００４】
これに対し、給水比例制御方式加湿装置は、加湿エレメントに給水弁により給水量を調節しながら給水を行うものである。
【０００５】
このような給水比例制御式加湿装置は、次のような特徴がある。すなわち、給水用に純水を用いることで、加湿エレメントへの給水成分付着を防ぐことができ、必要加湿量に応じた給水が可能であり、洗浄のための水量を低減できる。給水量を変えることで、加湿量を変化させることができる。
【先行技術文献】
【特許文献】
【０００６】
【特許文献１】特開平５−２９６５３４号公報
【発明の概要】
【発明が解決しようとする課題】
【０００７】
上述した加湿装置では、次のような問題があった。すなわち、給水定流量方式加湿装置では、給水開始してから加湿エレメントに水がある程度浸透するまでは、殆ど気化しないため、飽和状態に達するまで（立ち上がり）に時間が掛かる。また、給水停止してから、加湿エレメントの浸透水が、ある程度気化するまで、加湿を続けるため、加湿が停止し定常状態になるまで（立ち下がり）に時間が掛かる。
【０００８】
図１６及び図１７を用いて具体的に説明する。すなわち、図１６中Ｔ１は、給水開始を示している。次に、Ｔ１〜Ｔ２では、加湿エレメントへの浸透が行われる。この時は、殆ど加湿能力がないが、ここで十分に浸透させないと加湿が行われない。
【０００９】
次に、Ｔ２〜Ｔ３では、加湿エレメントから徐々に気化され始め、加湿が開始する。加湿が始まったら一気に最大飽和効率まで能力は上昇する。ここでの加湿量の制御は困難である。最大飽和効率まで加湿能力が上昇して定常状態となる。
【００１０】
一方、図１７中Ｔ４は給水停止を示している。次に、Ｔ４〜Ｔ５では、加湿エレメントに残った、表面の付着水などの余剰水の気化が続き、加湿能力は落ちない。余剰水量が多いため、なかなか加湿が止まらない。
【００１１】
次に、Ｔ５〜Ｔ６では、加湿エレメントが徐々に乾燥し、加湿能力が徐々に低下する。なお、立ち上がり時と比べ、乾燥速度はそれほど速くない。Ｔ６〜Ｔ７では、加湿エレメントに浸透している水が気化しており、加湿能力は徐々に小さくなっていくが、長時間、加湿は止まらない。
【００１２】
このように、Ｔ１〜Ｔ２、Ｔ６〜Ｔ７の部分の能力が殆ど変化しないのに対し、Ｔ２〜Ｔ３、Ｔ５〜Ｔ６の部分の能力が急激に変化する。すなわち、Ｔ１〜Ｔ２、Ｔ６〜Ｔ７では、加湿エレメントへの浸透水量の変化時間であり、加湿とは殆ど関係ない期間である。この期間が立ち上がり時間や立ち下がり時間を長くする要因となっていると考えられる。
【００１３】
また、加湿エレメントへの給水中の不純物の成分析出を防ぐための、自浄洗浄作用として、常に加湿エレメントへの過剰水の供給が必要となるため、給水量が大きくなりランニングコストが高くなる。さらに、乾燥空気の温湿度が一定の場合、通過風速と飽和効率によって加湿量が決まってくる為に、負荷に応じた加湿量の制御ができないという問題がある。
【００１４】
一方、給水比例制御方式加湿装置では、次のような問題があった。すなわち、加湿エレメントに給水がある程度浸透するまでは、殆ど気化しないため、立ち上がりに時間が掛かる。また、常に加湿エレメント全体に散水しているため、加湿エレメント全体が常に湿った状態になり、カビ臭が発生しやすいという問題がある。
【００１５】
そこで本発明では、加湿開始時の立ち上がり時間を短縮することができるとともに、加湿量を高精度に制御することができ、また、散水を均一化することができ、さらに、必要最小限の給水量で給水有効利用率を向上させることができる加湿装置を提供することを目的としている。
【課題を解決するための手段】
【００１６】
前記課題を解決し目的を達成するために、本発明の加湿装置は次のように構成されている。
【００１７】
複数の加湿領域を有する気化式加湿器と、これら気化式加湿器にそれぞれ給水を行う給水槽と、これら給水槽に収容された水が一定水位以上の場合に通流させる通流部と、上記給水槽のうち少なくとも１つの給水槽に給水を行うとともに、上記通流部を介して全ての給水槽に給水を行うフロー給水部とを備えていることを特徴とする。
【００１８】
複数の加湿領域を有する気化式加湿器と、これら気化式加湿器に散水する散布部と、これら散布部にそれぞれ異なる差圧で作動する流量調整弁を介して給水する差圧給水部とを備えていることを特徴とする。
【発明の効果】
【００１９】
本発明によれば、加湿開始時の立ち上がり時間を短縮することができるとともに、加湿量を高精度に制御することができ、また、散水を均一化することができ、さらに、必要最小限の給水量で給水有効利用率を向上させることが可能となる。
【図面の簡単な説明】
【００２０】
【図１】本発明の第１の実施の形態に係る加湿装置の構成を模式的に示す説明図。
【図２】同加湿装置における加湿制御方法を示す説明図。
【図３】同加湿装置における加湿制御方法を示す説明図。
【図４】同加湿装置における加湿制御方法を示す説明図。
【図５Ａ】同加湿装置における立ち上がり時間と飽和効率との関係を示すグラフ。
【図５Ｂ】同加湿装置における立ち下がり時間と飽和効率との関係を示すグラフ。
【図６Ａ】同加湿装置における立ち上がり時間と加湿量との関係を示すグラフ。
【図６Ｂ】同加湿装置における立ち下がり時間と加湿量との関係を示すグラフ。
【図７】本発明の第２の実施の形態に係る加湿装置の構成を模式的に示す説明図。
【図８】本発明の第３の実施の形態に係る加湿装置の構成を模式的に示す説明図。
【図９】本発明の第４の実施の形態に係る加湿装置の構成を模式的に示す説明図。
【図１０】同加湿装置における制御弁特性を示すグラフ。
【図１１】同加湿装置における定流量弁特性を示すグラフ。
【図１２】本発明の第５の実施の形態に係る加湿装置の構成を模式的に示す説明図。
【図１３】同加湿装置における加湿制御方法を示す説明図。
【図１４】同加湿装置における加湿制御方法を示す説明図。
【図１５】同加湿装置における加湿制御方法を示す説明図。
【図１６】一般的な加湿装置における立ち上がり時間を示すグラフ。
【図１７】一般的な加湿装置における立ち下がり時間を示すグラフ。
【発明を実施するための形態】
【００２１】
図１は本発明の一実施の形態に係る加湿装置１０の構成を模式的に示す説明図、図２〜図４は加湿装置１０における加湿制御方法を示す説明図である。
【００２２】
加湿装置１０は、加湿部２０と、この加湿部２０の上方に配置された給水槽部３０と、給水槽部３０に給水を行うフロー給水制御部５０とを備えている。加湿部２０は、加湿エレメントを水平方向に分割した３つの加湿領域２１〜２３とを備えている。なお、加湿部２０は給水槽部３０から供給された水を加湿領域２１〜２３に滴下させるための孔部２０ａが設けられている。
【００２３】
これら加湿領域２１〜２３は、臭気吸着が少ない素材で製造することにより、濡れていない状態から濡れた状態に変化した時に生じる臭気を防止することができる。
【００２４】
給水槽部３０は、加湿領域２１〜２３のそれぞれ上部に配置された３台の給水槽３１〜３３と、給水槽３１に設けられた第１通流部４１と、給水槽３１と給水槽３２との間に設けられた第２通流部４２と、給水槽３２と給水槽３３との間に設けられた第３通流部４３と、給水槽３３に設けられた第４通流部４４とを備えている。
【００２５】
第１〜第４通流部４１〜４４は、それぞれ３段階の高さに配置された通流パイプ４１ａ〜４１ｃ、４２ａ〜４２ｃ、４３ａ〜４３ｃ、４４ａ〜４４ｃとを備えている。なお、これら通流パイプのうち、通流パイプ４１ａ、４１ｂ、４４ａ、４４ｂは閉じられている。
【００２６】
フロー給水制御部５０は、給水制御弁５１と、湿度センサ５２と、この湿度センサ５２からの湿度情報に基づいて給水制御弁５１を制御する制御部５３とを備えている。なお、給水制御弁５１の出口側は、第１通流部４１の通流パイプ４１ｃを介して給水槽３１に接続されている。
【００２７】
このように構成された加湿装置１０では、次のようにして加湿を行う。加湿が開始されると、図２に示すように、給水槽３１に給水が行われる。給水槽３１に供給された水は、加湿領域２１に所定量ずつ浸透し始める。
【００２８】
加湿領域２１は、その面積が小さいため、すぐに全面に水が広がり、短時間で加湿が行われ、飽和効率の最大値に短時間で達し、乾燥空気への加湿が行われる。
【００２９】
給水槽３１に水が供給され続けると、第２通流部４２を介して給水槽３２に給水が行われる。給水槽３２に供給された水は、加湿領域２２に所定量ずつ浸透し始め、上述したように短時間で浸透が終了し、加湿が開始される。同様にして加湿エレメント２３にも同様にして水が供給され、加湿が開始される。
【００３０】
一方、加湿を停止する場合には、給水を停止する。加湿領域２１〜２３に浸透していた水が気化してゆき（加湿）、浸透した水が無くなった時点で加湿が終了する。
【００３１】
ここで、図５Ａ，５Ｂ,６Ａ，６Ｂを用いて、応答時間（立ち上がり時間）を短縮し、加湿量を高精度に制御でき、また、必要給水量を低減する原理について説明する。なお、これらの図中グラフＰは加湿装置１０の飽和効率、グラフＴは比較例の飽和効率の時間変化を示し、グラフＱは加湿装置１０の加湿量、グラフＵは比較例の加湿量の時間変化を示している。また、Ｐ１，Ｔ１，Ｑ１，Ｕ１は給水開始、Ｐ２，Ｔ２，Ｑ２，Ｕ２は加湿領域への浸透終了、Ｐ３，Ｔ３は必要飽和効率到達、Ｑ３，Ｕ３は必要加湿量到達、Ｐ４，Ｔ４，Ｑ４，Ｕ４は給水停止、Ｐ５，Ｔ５，Ｑ５，Ｕ５は余剰水の気化終了、Ｐ６，Ｔ６，Ｑ６，Ｔ６は加湿領域の浸透水の気化終了を示している。
【００３２】
まず、比較例として、加湿領域ト２１〜２３を合わせた大きさの１つの加湿領域全体（加湿エレメント）に均等に散水を行った場合を想定する。定常状態までに必要となる必要浸透水量は、浸透量（湿度変化なし）をＷ、気化量（湿度変化あり）をＨとすると、必要浸透水量＝Ｗ＋Ｈとなる。ここで、ＷはＨに比べて十分に大きい。但し、Ｈは加湿装置１０の最大加湿能力の１／３程度の値とする。
【００３３】
一方、上述した加湿装置１０では、定常状態までに必要となる必要浸透水量は、浸透量はＷ／３、気化量はＨとなり、必要浸透水量＝Ｗ／３＋Ｈとなる。すなわち、必要とする加湿量が少ない場合には、給水量の削減が可能になる。但し、必要とする加湿量が大きい場合（最大負荷時）は同量になる。
【００３４】
なお、定常状態に至る時間を比較例ではτ０、加湿装置１０ではτ１とし、給水速度をＳとすると、比較例では、τ０＝（Ｗ＋Ｈ）／Ｓとなり、加湿装置１０では、τ１＝（Ｗ／３＋Ｈ）／Ｓとなる。このように、加湿領域への浸透時間は給水量が同じ場合、濡れ領域の容積に比例するため、濡れ領域が１／３である加湿装置１０では、比較例に比べて１／３で済む。また、加湿領域からの気化時間は必要飽和効率の大小により変わってくる。加湿装置１０では、比較例に対して３倍の飽和効率が必要になるが、飽和効率の変化は短時間で急激に起こるため、時間的にはそれほど大きく変わらない。
【００３５】
以上より、立ち上がり特性は、浸透時間を削減できる加湿装置１０は、比較例に対し、改善されることとなる。
【００３６】
このように加湿装置１０では、狭い面積の加湿領域２１〜２３を用いているため、給水開始から加湿開始までの時間（立ち上がり時間）を短縮することができる。この場合、決まった面積の加湿領域に対して均等に給水するのではなく、給水（滴下）する位置によって、加湿領域の濡れ容積を決めることとなる。
【００３７】
立ち下がり特性については、加湿装置１０の浸透量Ｗ／３が気化する時間と比較例の浸透量Ｗが気化する時間は、加湿領域の通過風量が３倍になるため、浸透量が気化する時間は両者とも変わらない。次に、気化量Ｈが気化する時間は、比較例と比べて加湿領域の面積を狭く用いているため、通過風量が１／３となり気化時間は３倍長くなる、しかし、浸透量Ｗは気化量Ｈに比べて十分に大きいため、浸透量の気化時間が気化量の気化時間に比べて、十分に長くなる。そのため、立ち下がり時間全体からみると、殆ど両者に違いがないと言うことができる。
【００３８】
また、加湿量について考えると、立ち上がりは、必要加湿量まで一気に到達するために、両者ともに違いはみられないが、比較例では、制御の遅れなどが発生すると、一気に加湿器の最大加湿量まで到達してしまう虞がある。
【００３９】
また、立ち下がり時には、比較例では、気化量Ｈを気化させるのに必要浸透水量＝Ｗ＋Ｈを必要としているため、この量を気化させる必要がある。つまり、給水を停止させてから、立ち下がるまでに、必要浸透水量＝Ｗ＋Ｈは加湿され続けてしまう。加湿装置１０では、必要浸透水量＝Ｗ／３＋Ｈであるため、比較例と比べて、給水を停止させてからも加湿され続けてしまう水量が少量ですむ。これにより、加湿制御の精度を向上させることができる。
【００４０】
図７は、加湿部２０における加湿領域２１〜２３の代わりに加湿領域２４〜２８を用い、給水槽３１〜３３の代わりに給水槽３４〜３８を用い、また第１〜第６通流部６１〜６６を用いたものである。加湿領域２４〜２６，２８は比較的幅が狭く、加湿領域２７は広く幅をとったものである。言い換えれば、給水槽３４〜３８の散水位置により、加湿部２０への給水される場所（濡れ面）が結果として、加湿領域２４〜２８のように分けられることとなる。このように構成していると、立ち上がり時間をさらに短縮できるとともに、加湿量が低い領域で細かい湿度の制御を行うことができる。
【００４１】
図８は、加湿部２０において、加湿領域２１〜２３の代わりに、１２台の加湿領域７１〜８２を用い、マトリックス状に配置したものである。なお、簡略化のため図面には示していないが、これら加湿領域７１〜８２の上部には、それぞれ給水槽が配置されるとともに、順次給水するように通流部が配置されている。このように配置することで、各加湿領域７１〜８２の大きさを小さくすることができる。したがって、立ち上がり時間をさらに短縮できる。
【００４２】
なお、各加湿領域７１〜８２への給水制御（給水順序）は、各条件によって適宜変更してもよい。
【００４３】
例えば、加湿量は、通過風量及び絶対湿度差に比例し、通過風量は通過面積及び通過風速に比例するから、通過風速が一定である場合、通過面積又は絶対湿度差を変化させればよい。
【００４４】
通過方向に対して左右方向への給水制御は通過面積を変化させることができ、前後方向への給水制御は飽和効率、つまりΔｘの絶対湿度差を変化させることになり、加湿量の制御を行うことができる。
【００４５】
図９は本発明の第４実施の形態に係る加湿装置１００の構成を模式的に示す説明図、図１０は加湿装置１００における制御弁特性を示すグラフ、図１１は加湿装置１００における定流量弁特性を示すグラフである。
【００４６】
加湿装置１００は、加湿部１１０と、この加湿部１１０の上方に配置された給水槽部１２０と、給水槽部１２０に給水を行う給水制御部１３０とを備えている。
【００４７】
加湿部１１０は、加湿エレメントをは、水平方向に分割した加湿領域１１１〜１１３を備えている。
【００４８】
給水槽部１２０は、加湿領域１１１〜１１３のそれぞれ上部に配置された３台の給水槽１２１〜１２３を備えている。
【００４９】
給水制御部１３０は、給水制御弁１３１と、湿度センサ１３２と、この湿度センサ１３２からの湿度情報に基づいて給水制御弁１３１を制御する制御部１３３と、給水制御弁１３１の出口側に接続された分岐管１３４ａ〜１３４ｃと、これら分岐管１３４ａ〜１３４ｃの途中にそれぞれ接続された定流量弁１３５ａ〜１３５ｃと、分岐管１３４ａ〜１３４ｃの先端に取り付けられ、それぞれ給水槽１２１〜１２３の内部に配置された散布管１３６ａ〜１３６ｃとを備えている。
【００５０】
定流量弁１３５ａ〜１３５ｃはそれぞれ開く差圧が異なっており、定流量弁１３５ａが低圧、定流量弁１３５ｂが中圧、定流量弁１３５ｃが高圧で開く。
【００５１】
このように構成された加湿装置１００では、次のようにして加湿を行う。加湿が開始されると、給水制御弁１３１を少しずつ開いてゆく。なお、給水比例制御に用いられる給水制御弁１３１は、図１０に示す特性を有している。給水制御弁１３１は、加湿が不足すると、徐々に開度が大きくなり、それに伴って給水量が増加する。また、給水制御弁１３１による給水量が変化し、それに伴って供給される圧力も変化する。
【００５２】
これにより、分岐管１３４ａ〜１３４ｃ内には水圧がかかり、定流量弁１３５ａ〜１３５ｃの前後で差圧が発生する。図１１は、定流量弁１３５ａ〜１３５ｃの前後にかかる差圧と定流量弁１３５ａ〜１３５ｃの流量Ｑ１〜Ｑ３との関係を示すグラフである。
【００５３】
最初に、定流量弁１３５ａが開き、給水槽１２１内に散布管１３６ａから散水され、加湿領域１１１に浸透し始める。加湿領域１１１は、その面積が小さいため、すぐに全面に水が広がり、短時間で加湿が行われ、飽和効率の最大値に短時間で達し、乾燥空気への加湿が行われる。
【００５４】
さらに、給水制御弁１３１の開度が大きくなると、定流量弁１３５ｂが開き、給水槽１２２内に散布管１３６ｂから散水され、加湿領域１１２に浸透し始める。同様にして加湿が開始される。同様にして、定流量弁１３５ｃが開くと加湿領域１１３による加湿が開始される。逆に、給水制御弁１３１が閉じられると、定流量弁１３５ｃ、定流量弁１３５ｂの順で閉じられてゆく。
【００５５】
すなわち、給水制御弁１３１の開度により、定流量弁１３５ａ〜１３５ｃが順次開閉するため、複雑な制御を行うことなく、加湿領域１１１〜１１３に給水を行うことができる。なお、立ち上がり時間、給水量を低減できる原理は、上述した加湿装置１０と同様である。
【００５６】
このように加湿装置１００では、加湿装置１０と同様に、給水開始から加湿開始までの時間（立ち上がり時間）を短縮することができる。
【００５７】
図１２は本発明の第５の実施の形態に係る加湿装置２００の構成を模式的に示す説明図、図１３〜図１５は加湿装置２００における加湿制御方法を示す説明図である。
【００５８】
加湿装置２００、加湿部２１０と、この加湿部２１０の上方に配置された給水槽部２２０と、給水槽部２２０に給水を行うフロー給水制御部２５０とを備えている。
【００５９】
加湿部２１０は、臭気吸着が少ない素材で製造することにより、濡れていない状態から濡れた状態に変化した時に生じる臭気を防止することができる。また、加湿部２１０は、加湿エレメントをは、水平方向に分割した加湿領域２１１〜２１３を備えている。加湿領域２１１〜２１３は、後述する堰２３１，２３２の位置によって図中左右方向の幅が可変となっている。
【００６０】
給水槽部２２０は、給水槽部２２０内を仕切るとともに図中矢印方向αにその位置を変更することができる堰２３１，２３２と、第１通流部２４１と、第２通流部２４２とを備えている。給水槽部２２０は、堰２３１，２３２によって給水部２２１〜２２３に分けられている。
【００６１】
堰２３１，２３２は、給水弁２５１から供給された水が隣接する給水部２２２，２２３に流れ込むことを堰き止めるものであるが、上方は開放されているので所定の水量を超えると隣接する給水部２２２，２２３に水が順次流入する。
【００６２】
フロー給水制御部２５０は、給水制御弁２５１と、湿度センサ２５２と、この湿度センサ２５２からの湿度情報に基づいて給水制御弁２５１を制御する制御部２５３とを備えている。なお、給水制御弁２５１の出口側は、給水槽部２２０の給水部２２１に接続されている。
【００６３】
このように構成された加湿装置２００では、次のようにして加湿を行う。加湿が開始されると、図１３に示すように、給水槽部２２０に給水が行われる。給水槽部２２０の給水部２２１に供給され、加湿領域２１１に所定量ずつ浸透し始める。
【００６４】
加湿領域２１１は、その面積が小さいため、すぐに全面に水が広がり、短時間で加湿が行われ、飽和効率の最大値に短時間で達し、乾燥空気への加湿が行われる。
【００６５】
給水槽部２２０に水が供給され続けると、堰２３１の上端に達し、給水部２２２に給水が行われる。給水部２２２に供給された水は、加湿領域２１２に所定量ずつ浸透し始め、上述したように短時間で浸透が終了し、加湿が開始される。同様にして加湿領域２１３にも同様にして水が供給され、加湿が開始される。
【００６６】
一方、加湿を停止する場合には、給水を停止する。加湿領域２１１〜２１３に浸透していた水が気化してゆき（加湿）、浸透した水が無くなった時点で加湿が終了する。
【００６７】
このように加湿装置２００では、前述した加湿装置１０と同様に、狭い面積の加湿領域２１１〜２１３を用いているため、給水開始から加湿開始までの時間（立ち上がり時間）を短縮することができる。この場合、決まった容積の加湿領域に対して均等に給水するのではなく、給水（滴下）する位置によって、加湿領域の濡れ容積を決めることとなる。
【００６８】
なお、本発明は前記実施の形態に限定されるものではない。この他、本発明の要旨を逸脱しない範囲で種々変形実施可能であるのは勿論である。
【産業上の利用可能性】
【００６９】
以上本発明によれば、加湿開始時の立ち上がり時間を短縮することができるとともに、加湿量を高精度に制御することでき、また、散水を均一化することができ、さらに、必要最小限の給水量で給水有効利用率を向上させることが可能となる。
【符号の説明】
【００７０】
１０…加湿装置、２０…加湿部、２１〜２８，７１〜８２…加湿領域、３０…給水槽部、３１〜３８…給水槽、４１〜４４…第１〜第４通流部、５０…フロー給水制御部、５１…給水制御弁、５２…湿度センサ、５３…制御部、６１〜６６…第１〜第６通流部、１００…加湿装置、１１０…加湿部、１１１〜１１３…加湿領域、１２０…給水槽部、１２１〜１２３…給水槽、１３０…給水制御部、１３１…給水制御弁、１３２…湿度センサ、１３３…制御部、１３４ａ〜１３４ｃ…分岐管、１３５ａ〜１３５ｃ…定流量弁、１２１〜１２３…給水槽、１３６ａ〜１３６ｃ…散布管、２００…加湿装置、２１０…加湿部、２１１〜２１３…加湿領域、２２０…給水槽部、２２１〜２２３…給水部、２３１，２３２…堰、２５０…フロー給水制御部、２５１…給水制御弁、２５２…湿度センサ、２５３…制御部。
【図１】
2010255924.tif 000003
【図２】
2010255924.tif 000004
【図３】
2010255924.tif 000005
【図４】
2010255924.tif 000006
【図５Ａ】
2010255924.tif 000007
【図５Ｂ】
2010255924.tif 000008
【図６Ａ】
2010255924.tif 000009
【図６Ｂ】
2010255924.tif 000010
【図７】
2010255924.tif 000011
【図８】
2010255924.tif 000012
【図９】
2010255924.tif 000013
【図１０】
2010255924.tif 000014
【図１１】
2010255924.tif 000015
【図１２】
2010255924.tif 000016
【図１３】
2010255924.tif 000017
【図１４】
2010255924.tif 000018
【図１５】
2010255924.tif 000019
【図１６】
2010255924.tif 000020
【図１７】
2010255924.tif 000021